(57)【要約】【課題】従来、尿素水タンクは、グレンタンクの後部の一部に設けた凹部内に設けた構成のため、グレンタンクの容積が小さくなり、作業能率が低下する課題がある。【解決手段】機体フレーム１上に脱穀装置４を設け、脱穀装置４の左右一側にグレンタンク７を設け、グレンタンク７の後側に貯留された穀粒を排出する排出オーガー８の揚穀部８Ａを立設したコンバインにおいて、排気ガスを浄化する排気浄化装置２０を設け、排気浄化装置２０は、ＤＯＣ２１と、ＳＣＲ触媒２２を備え、尿素水タンク２５をグレンタンク７の後側で、かつ、揚穀部８Ａの機体外側位置に配置し、尿素水タンク２５は、機体フレーム１側に設けた支持台３３に載置する構成とし、支持台３３には支持部材４５を設け、支持部材４５には、載置台４６を取付け、載置台４６を起立姿勢となる収納位置と側方へ延在する張り出し位置に切り換え自在な構成としたことを特徴とするコンバイン。【選択図】  図４
2020031605.tif 000002
【特許請求の範囲】
【請求項１】
エンジン（Ｅ）を搭載した機体フレーム（１）上に脱穀装置（４）を設け、脱穀装置（４）の左右一側にグレンタンク（７）を設け、グレンタンク（７）の後側に貯留された穀粒を排出する排出オーガー（８）の揚穀部（８Ａ）を立設したコンバインにおいて、前記エンジン（Ｅ）の排気ガスを浄化する排気浄化装置（２０）を設け、該排気浄化装置（２０）は、排気ガス中の未燃焼ガスを酸化する触媒であるＤＯＣ（２１）と、該ＤＯＣ（２１）から排気された排気ガス中の窒素酸化物を尿素水から発生するアンモニアで還元浄化するＳＣＲ触媒（２２）を備え、該ＳＣＲ触媒（２２）に供給される尿素水を貯留する尿素水タンク（２５）を前記グレンタンク（７）の後側で、かつ、前記揚穀部（８Ａ）の機体外側位置に配置し、前記尿素水タンク（２５）は、前記機体フレーム（１）側に設けた支持台（３３）に載置する構成とし、該支持台（３３）には前記尿素水タンク（２５）の外側方に位置して尿素水タンク（２５）を支持する支持部材（４５）を設け、該支持部材（４５）には、前記尿素水タンク（２５）に補給する補給用尿素水容器を載置する載置台（４６）を、機体前後方向または左右方向の軸心回りに回動自在に取付け、該載置台（４６）を起立姿勢となる収納位置と側方へ延在する張り出し位置に切り換え自在な構成としたことを特徴とするコンバイン。
【請求項２】
前記支持部材（４５）には、前記載置台（４６）の回動軸心となる支軸（４７）を取付ける取付ステー（４９）を設け、該取付ステー（４９）は前板部（５０）と後板部（５１）を有する逆さＵ形状に形成し、該取付ステー（４９）に前記支軸（４７）の基部をスライド自在かつ回転自在に挿入して取付け、前記取付ステー（４９）の前板部（５０）と後板部（５１）との間における前記支軸（４７）側の部位には、前記後板部（５１）に形成した挿通孔（５４）の係合溝に係合するボス部（５２）と、該ボス部（５２）を係合溝に係合する方向に付勢するコイルバネ（５３）を装着した請求項１記載のコンバイン。
【請求項３】
前記載置台（４６）が張り出し位置にあるときには、該載置台（４６）が収納位置にあるときよりもコイルバネ（５３）の弾発力が強くなる構成とした請求項２記載のコンバイン。
【発明の詳細な説明】
【技術分野】
【０００１】
本発明は、コンバインに係るものである。
【背景技術】
【０００２】
従来、エンジンの排気ガスを浄化する排気浄化装置のＳＣＲに供給する尿素水を貯留する尿素水タンクを、グレンタンクの後側位置に設けた凹部内に配置した構成は、公知である（特許文献１）。
【先行技術文献】
【特許文献】
【０００３】
【特許文献１】特開２０１７−１０４０８３号公報
【発明の概要】
【発明が解決しようとする課題】
【０００４】
前記公知例の尿素水タンクは、グレンタンクの後部の一部に設けた凹部内に設けた構成のため、グレンタンクの容積が小さくなり、作業能率が低下する課題と、尿素水タンクへの尿素水の補給が容易でないという課題がある。
本願は、グレンタンクの容積を小さくしないように尿素水タンクの配置を工夫すると共に、尿素水タンクへの尿素水の補給を容易にしたものである。
【課題を解決するための手段】
【０００５】
請求項１記載の発明は、エンジンＥを搭載した機体フレーム１上に脱穀装置４を設け、脱穀装置４の左右一側にグレンタンク７を設け、グレンタンク７の後側に貯留された穀粒を排出する排出オーガー８の揚穀部８Ａを立設したコンバインにおいて、前記エンジンＥの排気ガスを浄化する排気浄化装置２０を設け、該排気浄化装置２０は、排気ガス中の未燃焼ガスを酸化する触媒であるＤＯＣ２１と、該ＤＯＣ２１から排気された排気ガス中の窒素酸化物を尿素水から発生するアンモニアで還元浄化するＳＣＲ触媒２２を備え、該ＳＣＲ触媒２２に供給される尿素水を貯留する尿素水タンク２５を前記グレンタンク７の後側で、かつ、前記揚穀部８Ａの機体外側位置に配置し、前記尿素水タンク２５は、前記機体フレーム１側に設けた支持台３３に載置する構成とし、該支持台３３には前記尿素水タンク２５の外側方に位置して尿素水タンク２５を支持する支持部材４５を設け、該支持部材４５には、前記尿素水タンク２５に補給する補給用尿素水容器を載置する載置台４６を、機体前後方向または左右方向の軸心回りに回動自在に取付け、該載置台４６を起立姿勢となる収納位置と側方へ延在する張り出し位置に切り換え自在な構成としたことを特徴とするコンバインとしたものである。
請求項２記載の発明は、前記支持部材４５には、前記載置台４６の回動軸心となる支軸４７を取付ける取付ステー４９を設け、該取付ステー４９は前板部５０と後板部５１を有する逆さＵ形状に形成し、該取付ステー４９に前記支軸４７の基部をスライド自在かつ回転自在に挿入して取付け、前記取付ステー４９の前板部５０と後板部５１との間における前記支軸４７側の部位には、前記後板部５１に形成した挿通孔５４の係合溝に係合するボス部５２と、該ボス部５２を係合溝に係合する方向に付勢するコイルバネ５３を装着した請求項１記載のコンバインとしたものである。
請求項３記載の発明は、前記載置台４６が張り出し位置にあるときには、該載置台４６が収納位置にあるときよりもコイルバネ５３の弾発力が強くなる構成とした請求項２記載のコンバインとしたものである。
【発明の効果】
【０００６】
請求項１記載の発明では、グレンタンク７の容積を確保したまま尿素水タンク２５を設置でき、尿素水タンク２５に補給用尿素水容器から容易に尿素水溶液を補給することができる。
請求項２記載の発明では、請求項１記載の発明の効果に加え、ボルト等の着脱手段を使用することなく、載置台４６の姿勢を変化させて、かつ、保持する構成とすることができる。
請求項３記載の発明では、請求項２記載の発明の効果に加え、載置台４６に補給用の尿素水容器を載置したとき、強固に支持でき、また、載置台４６を収納位置から張り出し位置に切り換えるときのコイルバネ５３の弾力を弱くして操作力の軽減を図ることができる。
【図面の簡単な説明】
【０００７】
【図１】コンバインの側面図。
【図２】浄化装置付近の側面図。
【図３】同平面図。
【図４】尿素水タンク付近の背面図および側面図。
【図５】（Ａ）起立姿勢の載置台の側面図。                                            （Ｂ）取付ステーの前板部の正面図。
【図６】グレンタンクおよび尿素水タンク付近の側面図。
【図７】同平面図。
【図８】同背面図。
【図９】載置台の他の実施形態の側面図。
【図１０】同背面図。
【図１１】載置台の他の実施形態の背面図および載置台の挿入状態図。
【図１２】尿素水タンクの配置構成の他の実施形態の側面図。
【図１３】載置台の他の実施形態の背面図および側面図。
【図１４】ＤＯＣ付近の正面図。
【図１５】ＳＣＲ触媒付近の左側面図。
【図１６】ＤＯＣとＳＣＲ触媒付近の背面図。
【図１７】ＤＯＣとＳＣＲ触媒付近の平面図。
【図１８】浄化装置付近の他の実施形態の側面図。
【図１９】走行装置の転輪の断面図。
【発明を実施するための形態】
【０００８】
本発明の一実施例を図面により説明すると、１はコンバインの機体フレームであり、機体フレーム１の下側に土壌面を走行する左右一対のクローラからなる走行装置２が設けられ、機体フレーム１の前側に圃場の穀稈を刈取る刈取装置３が設けられ、刈取装置３の後方左側に刈取られた穀稈を脱穀・選別処理する脱穀装置４が設けられ、刈取装置３の後方右側に操縦者が搭乗する操縦部５が設けられている。
操縦部５の下側にはエンジンＥを搭載するエンジンルーム６が設けられ、操縦部５の後側には脱穀・選別処理された穀粒を貯留するグレンタンク７が設けられ、グレンタンク７の後側に穀粒を外部に排出する上下方向に延在する揚穀部８Ａと前後方向に延在する横排出部８Ｂからなる排出オーガ８が設けられている。
【０００９】
脱穀装置４の右壁の下部とグレンタンク７の左壁の上部とは、脱穀装置４で脱穀・選別処理された穀粒をグレンタンク７に搬送する第１揚穀筒９で連通されている。また、第１揚穀筒９の後方には、枝梗付着粒等の２番物を脱穀装置４に還元する第２揚穀筒１０が設けられている。
エンジンＥで燃焼された排気ガスは、排気浄化装置２０で排気ガス中の不純物が浄化された後に外部に排気される。排気浄化装置２０は、排気ガス中の有害成分を酸化する触媒であるＤＯＣ２１と、ＤＯＣ２１から排気された排気ガス中の窒素酸化物質を尿素水溶液（以下、尿素水と言う。）から発生するアンモニアで還元して浄化するＳＣＲ触媒２２から構成されＳＣＲ触媒２２に尿素水を噴射するドージングモジュール２３と、ドージングモジュール２３に尿素水を圧送するサプライモジュール２４と、サプライモジュール２４に供給される尿素水を貯留する尿素水タンク２５とを設けている。
【００１０】
機体側面視において、ＤＯＣ２１とＳＣＲ触媒２２は、グレンタンク７の前壁と第１揚穀筒９の間に設けられている。
サプライモジュール２４の給水口と尿素水タンク２５の送水口は、可撓性の接続管１４で接続されている。また、接続管１４は、サプライモジュール２４よりも上側に設けられている。これにより、接続管１４内の空気が、この接続管１４内に止まり、サプライモジュール２４へ供給されるのを防止することができる。また、尿素水が凍結した場合においても、所定量の凍結していない尿素水をサプライモジュール２４に供給することができる。なお、サプライモジュール２４の給水口と送水口の間の内部配管には、開閉バルブが設けられ、開閉バルブには開閉バルブを操作するハーネス１５が接続されている。これにより、尿素水タンク２５内に貯留された尿素水が所定温度よりも低温や高温になった場合に、開閉バルブを閉じて尿素水タンク２５からサプライモジュール２４への尿素水の供給を停止することができる。なお、尿素水の温度は、尿素水タンク２５の上部に設けられたセンサ２５Ｂにより測定される。
【００１１】
尿素水タンク２５は、揚穀部８Ａの右側（機体外側）に、長手方向を前後方向に沿わせて設けられている。尿素水タンク２５は、機体側面視において、グレンタンク７の後壁の後側に配置され、その後部が揚穀部８Ａを縦軸回動自在に支持する支持フレーム３０に重なる位置に設けられている。尿素水タンク２５の給水口２５Ａは、この尿素水タンク２５の後側上部に形成された後下がり傾斜の傾斜壁から斜め後上方へ向けて突設されている。これにより、給水口２５Ａはコンバインの機体後部において、機体の後方へ向けて配置される。
また、この給水口２５Ａは、揚穀部８Ａよりも後側に配置される。尿素水タンク２５は、機体背面視において、グレンタンク７の右壁と揚穀部８Ａの間に設けられている。これにより、グレンタンク７の後壁の後方に形成された空間を有効に活用することができ、また、尿素水タンク２５の給水口２５Ａから尿素水を容易に補給することができる。
【００１２】
尿素水タンク２５の送水口は、サプライモジュール２４の給水口よりも高い位置に設けられている。これにより、前側連通部１６の上側に形成された空間を有効に活用することができ、尿素水タンク２５からサプライモジュール２４に尿素水を容易に供給することができる。
グレンタンク７の後壁の右端部には、上下方向に延在する支軸４０が設けられている。支軸４０には、上下方向に所定の長さ有して前後方向に延在する右側カバー４１Ａと右側カバー４１Ａの後部から左側方向に延在する後側カバー４１Ｂから形成されたオーガーカバー４１が回転自在に支持されている。収納状態において、右側カバー４１Ａは、尿素水タンク２５の右側を覆い、後側カバー４１Ｂは、尿素水タンク２５の後側を覆う。これにより、尿素水タンク２５が外部と衝突して破損するのを防止することができる。
【００１３】
支持フレーム３０の上部は、前側に向かって延在して回転支持部材３１を介して揚穀部８Ａの上部を回転自在に支持している。また、支持フレーム３０の下部は、前側に向かって延在して機体フレーム１の後部に連結されている。
支持フレーム３０の下部に連結および連結解除可能に設けられる回動フレーム３２は、支持フレーム３０の下部との連結付置から右側に向かって延在した後に前側に向かって延在して機体フレーム１の後部外側の部位に上下方向の支持軸Ｐで軸支されている。これにより、回動フレーム３２は、支持フレーム３０の下部との連結を解除することで、支持軸Ｐを中心として機体外側方へ回動させることができる。また、回動フレーム３２の後端部を支持フレーム３０に連結することで、回動フレーム３０の剛性が高まり変形を防止することができる。
【００１４】
尿素水タンク２５は、板状の支持台３３に載置されている。支持台３３は、前後方向に所定の間隔を隔てて設けられた２本の脚部３４を介して回動フレーム３２の前後方向の２箇所に支持されている。これにより、回動フレーム３２を支持軸Ｐを中心に回動させることで、この回動フレーム３２に支持された支持台３３ごと尿素水タンク２５を機体外側方へ回動させることができる。これによって、揚穀部８Ａの着脱作業や尿素水タンク２５のメンテナンスを容易に行なうことができる。
支持台３３は、揚穀部８Ａの下部とグレンタンク７の搬送装置を連通する連通部３５の上部に近接して設けられた旋回ギヤ３６よりも高い位置に設けてもよい。旋回ギヤ３６を駆動する旋回用モータ３７は、長手方向を上下方向に沿わせて旋回ギヤ３６の上側に設けられている。
【００１５】
支持台３３の右側前部には、支持部材４５が支持されている。
支持部材４５は、支持台３３から上側に向かって延在する第１延在部４５Ａと、第１延在部４５Ａの上部で湾曲して後方に向かって延在する第２延在部４５Ｂから形成されている。これにより、尿素タンク２５が支持台３３から落下するのを防止し、また、尿素タンク２５を支持台３３から取外す場合には、支持部材４５を支持台３３から取外して尿素タンク２５を容易に取外すことができる。
支持部材４５の第２延在部４５Ｂには、載置台（給水台）４６を設ける。載置台４６は第２延在部４５Ｂ側に設けた支軸４７に載置台４６の基部が回転自在に取付けられている。
尿素水タンク２５に尿素水を補給する場合には、載置台４６を支軸４７回りに下方回転させて水平姿勢とする。これにより、載置台４６を載置可能状態とし、補給用の尿素水が貯留されたビニール袋またはビニール袋を収容した箱等の容器を載置台４６上に範置して容易に補給作業を行うことができる。
【００１６】
一方、尿素水タンク２５への尿素水の補給作業が終了した場合には、載置台４６を支軸４７回りに上方回転させる。
これにより、載置台４６を尿素水タンク２５の側方に起立させて収納状態とすることができ、この状態で、載置台４６は尿素水タンク２５の保護カバーとして作用させられる。
載置台４６の基部には前後方向を軸心とする前記支軸４７を固定状態に取付け、載置台４６の基部の後部には切欠部４８を設け、切欠部４８内に支軸４７を後方に延在させて支軸４７の後部を露出させる。第２延在部４５Ｂの後部には取付ステー４９を設ける。取付ステー４９は前板部５０と後板部５１とにより逆さＵ形状に形成し、取付ステー４９に支軸４７の後部をスライド自在かつ回転自在に挿入して取付ける。
【００１７】
取付ステー４９の前板部５０と後板部５１との間の支軸４７には前側にボス部５２を設け、ボス部５２より後側部分の支軸４７にコイルバネ５３を挿通する。ボス部５２に係合突起５５を設け、係合突起５５は後板部５１に形成した挿通孔５４の係合溝５６に載置台４６が水平姿勢と起立姿勢のときに係合する構成とし（図５）、コイルバネ５３はボス部５２が挿通孔５４に常時係合する方向に付勢する。
これにより、ボルト等の着脱手段を使用することなく、載置台４６の姿勢を変化させて、かつ、保持する構成とすることができる。
【００１８】
ボス部５２の係合突起５５と挿通孔５４の係合溝５６の形状は任意であるが、例えば、ボス部５２の係合突起５５を軸心に対して放射方向に突出する突起形状（異径形状）とし、挿通孔５４の係合溝５６は載置台４６の水平姿勢と起立姿勢の二カ所でボス部５２の係合突起５５が係合する形状とすると、載置台４６を後方に押し込むと、ボス部５２の係合突起５５が挿通孔５４の係合溝５６から外れてロック解除され、載置台４６の姿勢変化を可能とし、次に、載置台４６を離すと、載置台４６はコイルバネ５３の弾力により前動し、ボス部５２の係合突起５５が挿通孔５４の係合溝５６に係合してロックし、載置台４６の姿勢を何れかの姿勢に保持する。
この場合、ボス部５２と挿通孔５４の係合位置を、載置台４６の水平姿勢のときには起立姿勢ときよりもコイルバネ５３の弾力が強く（大きく）作用するように構成する。
【００１９】
これにより、載置台４６に補給用の尿素水容器を載置したとき、強固に支持でき、また、起立姿勢から載置台４６を水平姿勢に姿勢変化させるときのコイルバネ５３の弾力を弱くして操作力の軽減を図ることができる。
支持部材４５の第２延在部４５Ｂの後部には、固定部材６０を設け、固定部材６０の上部には、板状の支持台（載置台）６１を左右方向の支軸６２により上下回動自在に取付ける。
これにより、ボルト等の着脱手段を使用することなく、載置台４６の姿勢を変化させて、かつ、保持する構成とすることができる。
なお、図示は省略するが、載置台４６のロック機構と同様な取付ステー４９とボス部５２とコイルバネ５３と挿通孔５４を設け、補給用尿素水容器を支持台６１上に載置する水平姿勢と収納した起立姿勢とに保持する構成とする。
【００２０】
図１１は載置台４６の他の実施形態であり、載置台４６には挿入アーム部６３を設け、前記揚穀部８Ａを取付けた連通部（接続メタル）３５に設けた挿入口（図示省略）に挿入して載置台４６上に補給用尿素水容器を載置して使用する。
補給後は、別途機体固定部分に設けた挿入口（図示省略）に挿入して収納する。
挿入アーム部６３と挿入口とは所謂角軸形状と角穴形状とし、載置台４６を着脱自在に構成している。
これにより、ボルト等の着脱手段を使用することなく、載置台４６の姿勢を変化させて、かつ、保持する構成とすることができる。
【００２１】
図１２は、載置台４６の他の実施形態であり、グレンタンク７の下部の傾斜面に取付ステー６５を前後一対設け、一方、尿素水タンク２５の前後両側に取付ステー６６を予め設けてアッシー状態として一体化しておき、尿素水タンク２５を取付ステー６６によりグレンタンク７に着脱自在に取付ける。
これにより、グレンタンク７の下部の傾斜面の下方空間を有効利用して尿素水タンク２５を簡単に取り付けることができる。
図１３は、載置台４６の他の実施形態であり、支持部材４５の第２延在部４５Ｂの後部に設けた固定部材６０を、縦板状部により形成し、この固定部材６０に左右方向のスリッド６７を設け、載置台４６にスリッド６７に係合するＬ型形状の係合部６８を設ける。
【００２２】
これにより、係合部６８を固定部材６０のスリッド６７に挿入して係合させると、載置台４６は水平姿勢となって、載置台４６上に補給用尿素水容器を載置して使用する。
そのため、載置台４６を安価に構成できる。
前記スリッド６７は上下方向に複数並設すると、尿素水タンク２５に対して補給用尿素水容器の高さ位置を調節でき、補給作業を容易にでき、また、置く物に合わせて何かを取り付けることができる（図１３）。
前記固定部材６０のスリッド６７に対する載置台４６の係合部６８の形状を、載置台４６の先端が水平でなく基部に対して高くなるように傾斜（先端上がり傾斜）させて取付けられるように構成する（図１３）。
【００２３】
これにより、載置台４６上に載置した補給用尿素水容器の落下を防止できる。
エンジンＥの排気ガスを浄化処理する排気浄化装置２０の、ＤＯＣ２１とＳＣＲ触媒２２を取付ける取付部材７０は分割構成とし、縦置きしたＤＯＣ２１の上部に設けた取付部を機体フレーム１を水平にさせるピッチングシリンダのシリンダ取付フレームと連結固定する。
これにより、ＤＯＣ２１とＳＣＲ触媒２２の支持構成を機体フレーム１の上面よりも上側に配置でき、かつ、ピッチングシリンダのシリンダ取付フレームと共に連結しているので支持剛性を向上させられ、ＤＯＣ２１とＳＣＲ触媒２２の振動を防止する防振効果を向上させられる。
【００２４】
図１５のようにＤＯＣ２１の取付部材７４をＳＣＲ触媒２２の取付部材７５に対して軸方向に回転させる。
これにより、エンジン側のフィルタ等へのアクセスを容易にする。
縦置きしたＤＯＣ２１の上端取付部７１を、操作席フレーム７６側に固定する（図１５〜図１７）。
これにより、ＤＯＣ２１とＳＣＲ触媒２２の支持構成を機体フレーム１の上面よりも上側に配置でき、かつ、操作席フレーム７６と連結しているので支持剛性を向上させられ、ＤＯＣ２１とＳＣＲ触媒２２の振動を防止する防振効果を向上させられる。
ＤＯＣ２１の上端取付部７１の上面に操作席を繋ぐプレートを設け、プレートにカバーを取付ける穴を設ける。
【００２５】
これにより、カバーを取付ける部材の部品点数を削減できる。
縦置きしたＤＯＣ２１の上端取付部７１に、前記ドージングモジュール２３の給水口とサプライモジュール２４の送水口を接続する可撓性の接続管１３と、ラジエーター（図示省略）の温水を通す送水管（図示省略）とを取付ける配管取付部８０を設ける（図１５〜図１７）。
これにより、接続管１３とラジエーターの温水を通す送水管のレイアウトを簡便にでき、また、接続管１３内の尿素水の凍結を、ラジエーターの温水により防止することができる。
縦置きしたＤＯＣ２１の上端取付部７１に、前記接続管１３と、ラジエーターの温水を通す送水管のガイド部材を取付ける。
【００２６】
これにより、接続管１３とラジエーターの温水を通す送水管のレイアウトを簡便にできる。
また、縦置きしたＤＯＣ２１の上端取付部７１に、ＤＯＣ２１内の圧力を計測する圧力センサのセンサ取付ブラケットを設ける。
前記接続管１３およびラジエーターの温水を通す送水管のガイド部材と、機体フレーム１とを連結部材により連結する。
これにより、剛性を向上させられる。
エンジンＥの排気ガスを浄化処理する排気浄化装置２０を、ＤＯＣ２１に代えてＤＰＦ８５とＳＣＲ触媒２２とにより構成し、ＤＰＦ８５の入口と出口の圧力差を計測する差圧センサ８６を排気浄化装置２０より上方に配置する（図１８）。
【００２７】
これにより、差圧センサ８６周辺の外気の流れを良好にし、エンジン停止後の雰囲気温度上昇時でも差圧センサ８６の温度上昇を抑制する。
排気浄化装置２０の上方部分をカバー８７により包囲し、カバー８７には差圧センサ８６を露出させる開口部８８を設ける。
これにより、カバー８７が排気浄化装置２０上に藁屑等の堆積物の堆積を防止すると共に、開口部８８により差圧センサ８６の温度上昇を抑制する。
前記カバー８７の上方に上側カバー８９を設け、二重構成のカバーとし、上側カバー８９は無孔のカバーとする。
これにより、雨や洗車時の水が差圧センサ８６および排気浄化装置２０に掛かるのを防止する。
前記差圧センサ８６の上方の上側カバー８９の下面（内面）には庇形状の庇部材９０を設ける。
【００２８】
これにより、差圧センサ８６に水滴が落ちるのを防止する。
走行装置２のクローラを掛け回す転輪９１の転輪軸９２の外側にグリス室９３を設け、グリス室９３を閉塞する蓋部材９４をボルト９５により取付ける。
これにより、ボルト９５を外すと、グリスの注入を行え、また、蓋部材９４を外すと、転輪９１のベアリング９６の点検を行える。
転輪軸９２は転輪９１の内側から挿入すると共に、左右一対のベアリング９６の間隔を広く構成し、左右両側から挿入する構成としている。
これにより、片持ち式の転輪９１でありながら、転輪９１の支持強度を向上させられる。
転輪９１の鍔部は、外側鍔部９７を内側鍔部９８より長く形成し、転輪９１および転輪軸９２に掛かる負荷を軽減する。
【符号の説明】
【００２９】
１…機体フレーム、２…走行装置２、３…刈取装置、４…脱穀装置、５…操縦部、
６…エンジンルーム、７…グレンタンク、８…排出オーガ、８Ａ…揚穀部、８Ｂ…横排出部、９…第１揚穀筒、１０…第２揚穀筒、１４接続管、１５…ハーネス、２０…排気浄化装置、２１…ＤＯＣ、２２…ＳＣＲ触媒、２３…ドージングモジュール、２４…サプライモジュール、２５…尿素水タンク、２５Ｂ…センサ、２５Ａ…給水口、３０…支持フレーム、３１…回転支持部材、３２…回動フレーム、３３…支持台、３４…脚部、３５…連通部、３６…旋回ギヤ、３７…旋回用モータ、４０…支軸、４１…オーガーカバー、４１Ａ…右側カバー、４１Ｂ…後側カバー、４５…支持部材、４６…載置台、４７…支軸、４８…切欠部、４９…取付ステー、５０…前板部、５１…後板部、５２…ボス部、５３…コイルバネ、５４…挿通孔、６０…固定部材、６１…支持台、６２…支軸、６３…挿入アーム部、６４…接続メタル、６６…取付ステー、６７…スリッド、６８…係合部、７０…取付部材、７１…上端取付部、７４…取付部材、７５…取付部材、７６…操作席フレーム、８０…配管取付部、８４…連結部材、８５…ＤＰＦ、８６…差圧センサ、８７…カバー、８８…開口部、８９…上側カバー、９０…庇部材、９１…転輪、９２…転輪軸、９３…グリス室、９４…蓋部材、９５…ボルト、９６…ベアリング、Ｐ…支持軸。
【図１】
2020031605.tif 000003
【図２】
2020031605.tif 000004
【図３】
2020031605.tif 000005
【図４】
2020031605.tif 000006
【図５】
2020031605.tif 000007
【図６】
2020031605.tif 000008
【図７】
2020031605.tif 000009
【図８】
2020031605.tif 000010
【図９】
2020031605.tif 000011
【図１０】
2020031605.tif 000012
【図１１】
2020031605.tif 000013
【図１２】
2020031605.tif 000014
【図１３】
2020031605.tif 000015
【図１４】
2020031605.tif 000016
【図１５】
2020031605.tif 000017
【図１６】
2020031605.tif 000018
【図１７】
2020031605.tif 000019
【図１８】
2020031605.tif 000020
【図１９】
2020031605.tif 000021